(57)【要約】【課題】録画、再生、ライブなどの視聴状態で、番組履歴情報あるいは実時間放送情報などのメタデータを視認することができるようにする。【解決手段】メタデータは、放送やＩＰによる通信ネットワーク８を介して送信され、メタデータ電子表示装置のメタデータ受信部１で受信される。メタデータ受信部１は、受信したメタデータを分析し、記憶装置２に記憶させる。またタイマー５には、表示させるメタデータの表示対象期間（Ｔ）が設定されている。表示対象期間（Ｔ）とは、放送番組の時間的な流れに対して、現時点から所定期間遡った時点から現時点までの時間長を定めるもので、この表示対象期間（Ｔ）の間に受信したメタデータを記憶装置から取得して、表示部６に表示させる。また表示部６は、メタデータのスクロール表示を行うための内部処理などを行って、表示データを生成し、表示機器７に対して表示データを送信する。【選択図】図１
2008005282.tif 000002
【特許請求の範囲】
【請求項１】
放送受信機能を備えた電子装置であって、メタデータを取得するメタデータ取得手段と、該メタデータ取得手段で取得したメタデータを記憶装置に記憶させる記憶手段と、前記メタデータ取得手段が取得したメタデータをリアルタイムで更新して表示する表示手段と、を有することを特徴とするメタデータ電子表示装置。
【請求項２】
請求項１に記載のメタデータ電子表示装置において、前記メタデータ取得手段は、メタデータを放送するネットワーク、またはリモートデータサービス放送とともに送られてきた多重化情報からメタデータを取得することを特徴とするメタデータ電子表示装置。
【請求項３】
請求項１に記載のメタデータ電子表示装置において、前記記憶手段は、前記メタデータをＭＰＥＧ７に従う形式で前記記憶装置に記憶させることを特徴とするメタデータ電子表示装置。
【請求項４】
請求項１に記載のメタデータ電子表示装置において、前記記憶手段は、メタデータを管理するための管理情報とともに当該メタデータを前記記憶装置に記憶させ、前記管理情報は、メタデータＩＤ、パッケージ番号、タイムスタンプ、該当チャネル番号、及び分類ＩＤを含む情報であることを特徴とするメタデータ電子表示装置。
【請求項５】
請求項１ないし４のいずれか１に記載のメタデータ電子表示装置において、予め定められた可変設定可能なメタデータの表示対象期間（Ｔ）に従って、現時点から前記表示対象期間（Ｔ）だけ遡った時点から、現時点までに取得したメタデータを表示することを特徴とするメタデータ電子表示装置。
【請求項６】
請求項５に記載のメタデータ電子表示装置において、前記メタデータをスクロール表示させるか否かの設定を可能としたことを特徴とするメタデータ電子表示装置。
【請求項７】
請求項６に記載のメタデータ電子表示装置において、前記メタデータの表示対象期間に閾値（ｔ）を設定し、前記メタデータ表示領域にメタデータをスクロール表示する際に、前記表示対象期間が予め定めた閾値（ｔ）より小さい場合に前記メタデータを強調表示し、または予め定めたスクロール回数だけ対象メタデータのスクロール表示が繰り返されるまでの間、前記メタデータを強調表示することを特徴とするメタデータ電子表示装置。
【請求項８】
請求項５または６に記載のメタデータ電子表示装置において、前記メタデータの表示対象期間に閾値（ｔ）を設定し、該メタデータの表示対象期間の設定値が閾値（ｔ）より小さい場合、取得した最新のメタデータを現在の表示に割り込ませて優先表示させるモードとして動作し、該表示対象期間の設定値が閾値（ｔ）以上の場合、最新のメタデータを取得しても現在の表示を継続するモードとして動作することを特徴とするメタデータ電子表示装置。
【請求項９】
請求項６ないし９のいずれか１に記載のメタデータ電子表示装置において、前記表示手段は、受信放送番組のチャネル番号を縦または横方向に並べて表示し、各前記チャネル番号の横または下の位置に、各チャネルに対応するメタデータを表示する表示領域を設定し、各前記表示領域内で各メタデータをスクロール表示可能とすることを特徴とするメタデータ電子表示装置。
【請求項１０】
請求項６ないし９のいずれか１に記載のメタデータ電子表示装置において、前記表示手段は、メタデータをＥＰＧに統合して表示可能とし、メタデータをＥＰＧに統合して表示するか否かの設定を可能としたことを特徴とするメタデータ電子表示装置。
【請求項１１】
請求項１０に記載のメタデータ電子表示装置において、前記メタデータをＥＰＧに統合して表示する場合、受信放送番組の番組名を含む各チャネル情報の表示領域の下の位置に、各前記チャネル情報に対応するメタデータを表示する表示領域を設定し、各表示領域内で各メタデータをスクロール表示可能としたことを特徴とするメタデータ電子表示装置。
【請求項１２】
請求項９ないし１１のいずれか１に記載のメタデータ電子表示装置において、前記メタデータのスクロール表示の設定は、各チャネルに対応する全てのメタデータ表示領域で、一括してスクロール表示するか否かを設定でき、かつ各チャネルに対応する個々のメタデータ表示領域でスクロール表示するか否かを設定できることを特徴とするメタデータ電子表示装置。
【請求項１３】
請求項５に記載のメタデータ電子表示装置において、前記メタデータの前記表示対象期間（Ｔ）を、各放送チャネルごとに設定でき、かつ全ての放送チャネルのメタデータの前記表示対象期間（Ｔ）を一括で設定できるようにしたことを特徴とするメタデータ電子表示装置。
【請求項１４】
請求項６に記載のメタデータ電子表示装置において、前記メタデータをスクロール表示する際に、所定の操作に応じて表示するメタデータの早送り／早戻しを可能としたことを特徴とするメタデータ電子表示装置。
【請求項１５】
請求項１に記載のメタデータ電子表示装置において、該メタデータ電子表示装置は、所定の記録媒体に記録させた放送番組を再生表示する機能を有し、該再生表示機能を使用した再生中に、前記メタデータを表示するか否かを設定できることを特徴とするメタデータ電子表示装置。
【請求項１６】
請求項１に記載のメタデータ電子表示装置において、該メタデータ電子表示装置は、放送番組を所定の記録媒体に記録させる録画機能を有し、該録画機能を使用して録画中に、前記メタデータを表示するか否かを設定できることを特徴とするメタデータ電子表示装置。
【請求項１７】
請求項１に記載のメタデータ電子表示装置において、該メタデータ電子表示装置は、放送番組を所定の記録媒体に記録させる録画機能を有し、該録画機能を使用した録画中に、録画中の番組のメタデータ情報を表示しない設定をデフォルトで有することを特徴とするメタデータ電子表示装置。
【請求項１８】
請求項１７に記載のメタデータ電子表示装置において、前記録画中に、録画中の番組のメタデータ情報を表示するか否かを設定できることを特徴とするメタデータ電子表示装置。
【請求項１９】
請求項１に記載のメタデータ電子表示装置において、予約録画を行う際に、予約された番組のメタデータを表示するか、もしくはメタデータもつ全てのチャネルのメタデータを表示するかを設定ことができることを特徴とするメタデータ電子表示装置。
【請求項２０】
請求項１に記載のメタデータ電子表示装置において、該メタデータ電子表示装置は、所定の記録媒体に対する放送番組の記録を予約する予約録画機能を有し、該予約録画を行う場合、録画する番組のメタデータ情報を表示するか否かを設定可能としたことを特徴とするメタデータ電子表示装置。
【請求項２１】
請求項１に記載のメタデータ電子表示装置において、メタデータを表示した画面から特定のメタデータのアイテムを選択可能とし、該特定のアイテムが選択されたときに、該選択されたアイテムの更に詳しいメタデータを表示可能としたことを特徴とするメタデータ電子表示装置。
【発明の詳細な説明】
【技術分野】
【０００１】
本発明は、メタデータ電子表示装置に関し、より詳細には、放送受信機能により受信した、番組や実時間情報などに関する付加情報（メタデータ）を表示するメタデータ電子表示装置に関する。
【背景技術】
【０００２】
近年テレビの放送においては、番組の放送日時やチャンネルに関する情報に加え、番組の内容に関する情報などが番組の放送と共に提供されている。これら番組に関する情報を本明細書ではメタデータと呼ぶ。
【０００３】
ＢＳ放送、ＣＳ放送をはじめとするテレビ放送では、テレビ放送信号に電子番組ガイドＥＰＧ（Electronic Program Guide）情報を多重化させ、この情報を元にＥＰＧをテレビ画面に表示するシステムが用いられている。
ユーザーは、ＥＰＧを参照することで、数ある放送予定番組の中から所望の番組を検索したり、番組の内容を確認したりすることができるようになっている。また、ＥＰＧ情報を元にビデオレコーダ等に番組の録画予約を行うことも可能になっている。
【０００４】
ところでテレビなどの放送を受信して視聴するユーザーは、複数提供されるチャンネルのなかからひとつのチャンネルを選択している。しかし、現在選択しているチャンネルで放送されている番組に、ユーザーがあまり興味を覚えない場合など、他のチャンネルを次々に選択して、より興味を引く番組を探す行動を行うことがある。これをザッピングと呼ぶ。
【０００５】
現在市場にて提供されているデジタル放送の受信装置においては、アナログ放送の受信装置に比較してチャンネル選択にかかる時間が長いものが多く、ユーザーはザッピングに不満を感じることが少なくない。
【０００６】
例えば特許文献１には、視聴中のチャンネルを変更することはなく、別のいずれかの一つチャンネルのメタデータ情報を視聴画面上の適当な位置に表示することで、はじめに選択していたチャンネルの番組視聴を一旦中断しなくても、他チャンネルの番組内容を知ることができる技術が開示されている。
【０００７】
また特許文献２には、放送側がＥＰＧの関連情報を提供する場合に、該当関連情報を取得し、ＥＰＧと統合して表示する技術が開示されている。特許文献２では、ＥＰＧの情報に加えて、各番組の進捗情報進行情報をメタデータとして番組に多重して放送し、ＥＰＧ上に表示された各番組の進行状況を表示することを可能としている。
【特許文献１】特開２００６−５００４７号公報
【特許文献２】特開２００５−１７５６９５号公報
【発明の開示】
【発明が解決しようとする課題】
【０００８】
しかしながら、特許文献１では、表示されるメタデータが1つのチャンネルの番組に関するもののみであり、そのリアルタイム情報が見えることとなるが一覧性に欠ける。そして現時点から所定期間遡ったメタデータの表示期間を指定し、その表示期間の間に取得したメタデータの履歴を表示できるようにする技術思想は、何ら開示されていない。
【０００９】
また特許文献２では、複数のチャンネルのメタデータを番組表の形式で表示することで一覧性を確保している。さらにメタデータとして、現在デジタル放送で使用されているＥＰＧに加え、各番組の進行情報を受信することで、各チャンネルの番組の詳細な進行状況を知ることができる。
【００１０】
しかし、特許文献２の技術では、番組表の表示中にも刻々と受信されるメタデータを使用して、リアルタイムに番組表の表示を更新することはできなかった。また、ユーザーが録画しておいて、あとで視聴しようと思っていた番組の進行状況すらも表示されてしまうため、ユーザーの興をそぐ結果を招きかねないという欠点があった。
【００１１】
さらに、特許文献２の技術は、放送されている番組のメタデータの表示技術に限られ、録画した番組の再生視聴中におけるメタデータ表示について考慮されていない。加えて、あくまでＥＰＧ内に記述された番組に対する進行情報が、メタデータに追加されただけであり、さまざまな情報をリアルタイムに受信して表示するには向いていない。
【００１２】
また特許文献２では、メタデータを画面表示させる状態に限られ、メタデータを動的に更新することができない。また一定の表示対象期間を設定して、現時点から過去の一定の表示対象期間におけるメタデータの履歴を表示させる手段は開示されていない。
また、録画番組の再生中や録画中に、リアルタイムで放送されているメタデータを表示させる手段は開示されていない。さらに録画中の番組に対して、録画番組のメタデータを表示させるか否かを設定できる手段も開示されていない。さらに、特許文献２では、番組の進行情報しか表示することができない、という問題もある。
【００１３】
本発明は、上述のごとき実情に鑑みてなされたもので、高度なリアルタイム性を実現するメタデータ電子表示装置であって、ユーザー側の選択により、録画、再生、ライブなどの視聴状態で、番組履歴情報あるいは実時間放送情報などのメタデータを視認することができ、高い柔軟性の操作性と利便性を具備するメタデータ電子表示装置を提供することを目的とする。
【課題を解決するための手段】
【００１４】
上記課題を解決するために、本発明の第１の技術手段は、放送受信機能を備えた電子装置であって、メタデータを取得するメタデータ取得手段と、メタデータ取得手段で取得したメタデータを記憶装置に記憶させる記憶手段と、メタデータ取得手段が取得したメタデータをリアルタイムで更新して表示する表示手段と、を有することを特徴としたものである。
【００１５】
第２の技術手段は、第１の技術手段において、メタデータ取得手段は、メタデータを放送するネットワーク、またはリモートデータサービス放送とともに送られてきた多重化情報からメタデータを取得することを特徴としたものである。
【００１６】
第３の技術手段は、第１の技術手段において、記憶手段は、メタデータをＭＰＥＧ７に従う形式で記憶装置に記憶させることを特徴としたものである。
【００１７】
第４の技術手段は、第１の技術手段において、記憶手段は、メタデータを管理するための管理情報とともに当該メタデータを記憶装置に記憶させ、管理情報は、メタデータＩＤ、パッケージ番号、タイムスタンプ、該当チャネル番号、及び分類ＩＤを含む情報であることを特徴としたものである。
【００１８】
第５の技術手段は、第１ないし第４のいずれか１の技術手段において、予め定められた可変設定可能なメタデータの表示対象期間（Ｔ）に従って、現時点から表示対象期間（Ｔ）だけ遡った時点から、現時点までに取得したメタデータを表示することを特徴としたものである。
【００１９】
第６の技術手段は、第５の技術手段において、メタデータをスクロール表示させるか否かの設定を可能としたことを特徴としたものである。
【００２０】
第７の技術手段は、第６の技術手段において、メタデータの表示対象期間に閾値（ｔ）を設定し、メタデータ表示領域にメタデータをスクロール表示する際に、表示対象期間が予め定めた閾値（ｔ）より小さい場合にメタデータを強調表示し、または予め定めたスクロール回数だけ対象メタデータのスクロール表示が繰り返されるまでの間、メタデータを強調表示することを特徴としたものである。
【００２１】
第８の技術手段は、第５または第６の技術手段において、メタデータの表示対象期間に閾値（ｔ）を設定し、メタデータの表示対象期間の設定値が閾値（ｔ）より小さい場合、取得した最新のメタデータを現在の表示に割り込ませて優先表示させるモードとして動作し、表示対象期間の設定値が閾値（ｔ）以上の場合、最新のメタデータを取得しても現在の表示を継続するモードとして動作することを特徴としたものである。
【００２２】
第９の技術手段は、第６ないし第９のいずれか１の技術手段において、表示手段は、受信放送番組のチャネル番号を縦または横方向に並べて表示し、各チャネル番号の横または下の位置に、各チャネルに対応するメタデータを表示する表示領域を設定し、各表示領域内で各メタデータをスクロール表示可能とすることを特徴としたものである。
【００２３】
第１０の技術手段は、第６ないし第９のいずれか１の技術手段において、表示手段は、メタデータをＥＰＧに統合して表示可能とし、メタデータをＥＰＧに統合して表示するか否かの設定を可能としたことを特徴としたものである。
【００２４】
第１１の技術手段は、第１０の技術手段において、メタデータをＥＰＧに統合して表示する場合、受信放送番組の番組名を含む各チャネル情報の表示領域の下の位置に、各チャネル情報に対応するメタデータを表示する表示領域を設定し、各表示領域内で各メタデータをスクロール表示可能としたことを特徴としたものである。
【００２５】
第１２の技術手段は、第９ないし第１１のいずれか１の技術手段において、メタデータのスクロール表示の設定は、各チャネルに対応する全てのメタデータ表示領域で、一括してスクロール表示するか否かを設定でき、かつ各チャネルに対応する個々のメタデータ表示領域でスクロール表示するか否かを設定できることを特徴としたものである。
【００２６】
第１３の技術手段は、第５の技術手段において、メタデータの表示対象期間（Ｔ）を、各放送チャネルごとに設定でき、かつ全ての放送チャネルのメタデータの表示対象期間（Ｔ）を一括で設定できるようにしたことを特徴としたものである。
【００２７】
第１４の技術手段は、第６の技術手段において、メタデータをスクロール表示する際に、所定の操作に応じて表示するメタデータの早送り／早戻しを可能としたことを特徴としたものである。
【００２８】
第１５の技術手段は、第１の技術手段において、メタデータ電子表示装置は、所定の記録媒体に記録させた放送番組を再生表示する機能を有し、再生表示機能を使用した再生中に、メタデータを表示するか否かを設定できることを特徴としたものである。
【００２９】
第１６の技術手段は、第１の技術手段において、メタデータ電子表示装置は、放送番組を所定の記録媒体に記録させる録画機能を有し、録画機能を使用して録画中に、メタデータを表示するか否かを設定できることを特徴としたものである。
【００３０】
第１７の技術手段は、第１の技術手段において、メタデータ電子表示装置は、放送番組を所定の記録媒体に記録させる録画機能を有し、録画機能を使用した録画中に、録画中の番組のメタデータ情報を表示しない設定をデフォルトで有することを特徴としたものである。
【００３１】
第１８の技術手段は、第１７の技術手段において、録画中に、録画中の番組のメタデータ情報を表示するか否かを設定できることを特徴としたものである。
【００３２】
第１９の技術手段は、第１の技術手段において、予約録画を行う際に、予約された番組のメタデータを表示するか、もしくはメタデータもつ全てのチャネルのメタデータを表示するかを設定ことができることを特徴としたものである。
【００３３】
第２０の技術手段は、第１の技術手段において、メタデータ電子表示装置は、所定の記録媒体に対する放送番組の記録を予約する予約録画機能を有し、予約録画を行う場合、録画する番組のメタデータ情報を表示するか否かを設定可能としたことを特徴としたものである。
【００３４】
第２１の技術手段は、第１の技術手段において、メタデータを表示した画面から特定のメタデータのアイテムを選択可能とし、特定のアイテムが選択されたときに、選択されたアイテムの更に詳しいメタデータを表示可能としたことを特徴としたものである。
【発明の効果】
【００３５】
本発明によれば、高度なリアルタイム性を実現するメタデータ表示装置であって、ユーザー側の選択により、録画、再生、ライブなどの視聴状態で、番組履歴情報あるいは実時間放送情報などのメタデータを視認することができ、高い柔軟性で操作性と利便性を具備するメタデータ電子表示装置を提供することができる。
【００３６】
特に本発明では、刻々と受信されるメタデータにより表示内容をリアルタイムに更新することのできる手段、録画中の番組に関するメタデータはユーザーの設定により表示／非表示を切り替えることのできる手段、録画済みの番組を再生中にその番組のメタデータを表示できる手段、画面が表示状態のままで情報を常時動的に更新する手段、番組の進行情報以外のメタデータも柔軟に表示することを可能とする手段、を提供することができる。
【発明を実施するための最良の形態】
【００３７】
本発明に関わるメタデータ電子受信装置の実施形態では、常に更新される全てのチャネルのメタデータ情報を一覧で表示し、またスクロール可能にしている。
そして、一定の期間（表示対象期間（Ｔ））設定可能とし、メタデータの表示画面、およびメタデータをＥＰＧに統合した表示画面において、予め設定され期間Ｔだけ過去に遡った時点から、現時点までのメタデータを動的に表示更新できるようにする。
また、番組の再生中や録画中など、番組が視聴されている状態において、リアルタイムでメタデータを表示できるようにする。また録画中の番組に対して、関連情報を表示させるか否かを選択設定可能とする。
【００３８】
メタデータは、上記のように番組の放送日時やチャンネルに関する情報、放送される番組の内容に関する情報などの番組の関連する情報であり、番組に付加されて放送される。この他メタデータは、事前に予測できない事件や事故等の速報情報などにも含まれる。
メタデータの放送方式としては、放送番組に多重化したデータに含ませるか、あるいは別途の通信ネットワークを介して送信することができる。ＭＰＥＧ７は、メタデータの有力なフォーマットである。
【００３９】
図１は、本発明に関わるメタデータ電子表示装置の一実施形態を説明するためのブロック図である。
メタデータ受信装置は、メタデータ受信部１，記憶装置２，制御部３，表示スイッチ４，タイマー５，表示部６，及びユーザーＩＦ９を備えている。制御部３は、メタデータ受信装置の各要素の動作を制御している。表示機器７は、本実施形態のメタデータ電子受信装置に外部接続される表示装置であるが、メタデータ電子表示装置の一部として構成されていてもよい。
【００４０】
メタデータは、放送やＩＰによる通信ネットワーク８を介して送信され、メタデータ電子表示装置のメタデータ受信部１で受信される。メタデータ受信部１は、受信したメタデータを分析する。そして受信したメタデータが、チャネル情報やキーワードやなどのメタデータ管理情報を持つフォーマットになっていない場合に、これらのメタデータ管理情報を持たせるようにメタデータパッケージを作成する。
【００４１】
記憶装置２には、メタデータを記憶させる。記憶装置２の記憶媒体としては、ＨＤＤやＲＯＭ，ＲＡＭ等のメモリや、各種のリムーバブルな記録メディアを適用することができる。
またユーザーＩＦ９は、ユーザー操作による指示入力を可能とするもので、例えば、メタデータ表示画面を表示させたり、その表示画面を非表示とする設定が可能である。
またユーザーは、ユーザーＩＦ９によって、表示スイッチ４の設定、及びタイマー５の設定を行うことができる。
表示スイッチ４は、メタデータの画面表示等に関する各種設定情報を保持するものである。設定項目の詳細は、後述する。
【００４２】
タイマー５には、表示させるメタデータの表示対象期間（Ｔ）が設定されている。表示対象期間（Ｔ）とは、放送番組の時間的な流れに対して、現時点から所定期間遡った時点から現時点までの時間長を定めるもので、この表示対象期間（Ｔ）の間に受信したメタデータを記憶装置から取得して、表示部６に表示させる。
またタイマー５には、表示対象のメタデータをスクロールさせながら繰り返し表示させるスクロール回数が設定される。このスロール回数分だけ、同一のメタデータを繰り返しスクロール表示させる。
また表示部６は、メタデータのスクロール表示を行うための内部処理などを行って、表示データを生成し、表示機器７に対して表示データを送信する。
【００４３】
またメタデータ電子表示装置は、受信した放送番組の記録・再生機能を備えていてもよい。この場合、ＨＤＤやＤＶＤ，ＢＤ，等の所定の記録媒体に対して、受信した放送番組等のコンテンツを記録し、かつ記録媒体に記録した放送番組等のコンテンツを再生して、表示部に表示させることができる。
この場合、メタデータ電子表示装置は、記録媒体に対する記録／読取装置を含まず、記録再生装置との間で記録／再生のための信号の入出力ＩＦを備えるのみであってもよい。
【００４４】
図２は、メタデータを記憶装置に記憶させるときのデータ構造の一例を説明する図である。図２に示すように、取得したメタデータを記憶装置に記憶させる場合、メタデータのデータ情報と、その管理情報とを関連付けて記憶させる。上記のように、メタデータ受信部１は、受信したメタデータを分析し、そのメタデータが管理情報を持つフォーマットになっていない場合に、これらのメタデータ管理情報を持たせるようにメタデータパッケージを作成する。
【００４５】
管理情報は、図２に示すように、メタデータＩＤ，パッケージ番号，タイムスタンプ，該当チャネル番号，分類ＩＤなどの情報を含んでいる。またメタデータのキーワードを含ませるようにしてもよい。またデータ情報としては、メタデータの具体的内容と、リンク先のアドレス情報や、関連情報の放送チャンネル等のデータが含まれている。
【００４６】
図３は、本発明によるメタデータ電子表示装置で設定される各種表示スイッチ例を一覧にして示す図である。上述のように、表示スイッチ４は、メタデータの画面表示当に関する各種項目を設定するものである。
“ＥＰＧ／メタデータ画面スイッチ”は、メタデータをＥＰＧに統合して表示するか、メタデータのみの画面を表示するかを設定するスイッチである。このスイッチは、ユーザ設定が可能である。またこのスイッチのデフォルトは、メタデータのみの画面表示が設定されている。
【００４７】
“スクロール／非スクロールスイッチ”は、メタデータを表示するときに、メタデータをスクロール表示するかしないかを設定するスイッチである。このスイッチは、ユーザー設定が可能で、そのデフォルト値は、スクロール表示である。
“鑑賞／実時間スイッチ”は、鑑賞モードと実時間モードとを判別するためのスイッチである。実時間モードは、番組視聴時にリアルタイムで送られてくるメタデータを割り込み表示させるようにしたモードであり、また鑑賞モードは、このような割り込み表示を行うことなく番組の鑑賞環境を重視するモードである。
【００４８】
このスイッチは、タイマーに設定するメタデータ表示対象期間（Ｔ）の設定に応じて自動的にモード設定される。例えばメタデータ表示対象期間（Ｔ）が予め定めた閾値（ｔ）より小さければ実時間モードに設定し、閾値（ｔ）以上であれば鑑賞モードに設定する。閾値（ｔ）は可変設定が可能であるが、例えば６０ｓ（秒）に設定しておく。このスイッチのデフォルトは、実時間モードである。
【００４９】
“メタデータ強調表示スイッチ”は、メタデータを表示するときに強調表示するか否かを設定するスイッチで、そのデフォルトは強調表示の実行である。
このスイッチは、タイマーの設定を参照して、メタデータの表示対象期間（Ｔ）が実時間モードに相当する場合、または後述するタイマーで所定数のスクロール回数が設定されている場合に、その設定値に従ってメタデータの強調表示を行う。
【００５０】
例えば、スクロール回数が３回に設定されている場合、表示すべきメタデータが３回繰り返し表示されるまで、そのメタデータを強調表示する。３回のスクロール表示が行われると、メタデータの強調表示が終了し、またメタデータのスクロールも停止して通常のメタデータ表示に戻る。なお、スクロール回数は、スクロール／非スクロールスイッチがスクロール表示に設定されているときに機能する。
またこのときに、表示対象期間（Ｔ）が実時間モードに対応する条件（本例では＜６０ｓ）に設定されている場合には、スクロール回数の設定を無視して強調表示を行う。
【００５１】
“再生メタデータ／実時間メタデータスイッチ”は、番組の再生時に、再生番組のメタデータを再生するか、あるいは番組の再生中に現在放送中のリアルタイムのメタデータを表示するかを設定するスイッチである。このスイッチは、ユーザー設定が可能で、そのデフォルト値は、放送メタデータの表示である。
【００５２】
“メタデータ録画スイッチ”は、録画時にメタデータを蓄積するかしないかを設定するスイッチである。このスイッチは、ユーザー設定が可能で、そのデフォルト値は、メタデータの蓄積である。
“メタデータ表示／非表示スイッチ”は、録画時に、メタデータを表示するか非表示とするかを設定するスイッチである。このスイッチはユーザー設定が可能で、そのデフォルト値は、メタデータの非表示である。またメタデータを表示するとき、予約録画を行う際に予約された番組のメタデータを表示するか、もしくはメタデータもつ全てのチャネルのメタデータを表示するかを設定できるようにしてもよい。
【００５３】
メタデータ電子表示装置が、番組を受信してメタデータを取得したときに、上記の各スイッチを参照し、各スイッチの設定に従ってそのメタデータの表示や蓄積処理を実行する。
【００５４】
図４は、本発明によるメタデータ電子表示装置のタイマーの設定例を示す図である。メタデータ表示タイマーは、メタデータの表示対象期間（Ｔ）を設定する。
メタデータを表示する場合、現時点から表示対象期間（Ｔ）だけ遡った時点から、現時点までのメタデータを記憶装置から取得して、表示部に表示する。このときに上記スクロール／非スクロールスイッチでスクロール表示が設定されていれば、上記期間内のメタデータをスクロールしながら表示する。また非スクロール表示が設定されていれば、表示すべきメタデータを１回だけ表示する。
そしてスクロール表示が設定され、さらに下記のスクロール回数が設定されている場合、表示対象期間（Ｔ）のメタデータをスクロール表示したあと、再び同じメタデータを設定されたスクロール回数まで繰り返しスクロール表示する。
【００５５】
メタデータの表示対象期間（Ｔ）が、例えばＴ＜６０ｓである場合、上記の鑑賞／実時間スイッチを自動的に実時間モードに設定する。またＴ≧６０ｓである場合、鑑賞／実時間スイッチを自動的に鑑賞モードに設定する。表示対象期間（Ｔ）は、ユーザー設定が可能で、そのデフォルトは、１ｓ（実時間モードに相当）である。また実時間モードと鑑賞モードとを区別する閾値（ｔ）は、上述のように６０ｓのみならず、適宜ユーザーによる設定が可能である。
【００５６】
また、表示対象期間（Ｔ）は、各放送チャネルごとに設定できるようにし、かつ全ての放送チャネルのメタデータの表示対象期間（Ｔ）を一括で設定できるようにする。
【００５７】
スクロール回数タイマーは、対象のメタデータのスクロール表示回数を設定するタイマーである。対象のメタデータとは、上記表示対象期間（Ｔ）で設定された期間内のメタデータであり、そのメタデータをスクロール表示するときに、対象メタデータを繰り返しスクロール表示する回数が設定されている。このタイマーは、ユーザー設定が可能で、そのデフォルトは３回である。
【００５８】
図５は、上記ＥＰＧ／メタデータ画面スイッチの設定に従って、メタデータのみを表示する表示画面の一例示す図である。
ＥＰＧ／メタデータの画面スイッチの設定が、メタデータのみの表示に設定されているとき、図５に示すようなメタデータの表示画面を表示させることができる。
【００５９】
図５に示すメタデータの表示画面では、受信放送番組のチャネル番号１１を縦方向に並べて表示し、各チャネル番号１１の右横の位置に、各チャネル番号１１に対応するメタデータを表示するメタデータ表示領域１２を設定する。またメタデータ表示領域１２の右横には、表示中のメタデータの受信時刻１３が表示される。
この表示画面の構成は、チャネル番号１１を横方向に並べ、各チャネル番号１１の下側の位置にメタデータ表示領域１２を設定してもよい。
【００６０】
そして、メタデータ表示領域１２には、各チャンネルごとに、取得したメタデータを表示する。このときに、表示対象のメタデータは、メタデータ表示タイマーで設定したメタデータの表示対象期間（Ｔ）だけ現時点から遡った時点から、現時点までに受信したメタデータである。そして、スクロール／非スクロールスイッチにより、スクロール表示が設定されていれば、メタデータ表示領域１２に表示させるメタデータを時間的に新しいものから古いに向かって、スクロール表示していく。そして、スクロール回数タイマーで設定された回数だけ、同じメタデータを繰り返しスクロール表示する。
またメタデータ強調表示スイッチにて、メタデータの強調表示が設定されているとき、設定されたスクロール回数分だけ強調表示する。また実時間モードでは、スクロール回数に関わりなく、メタデータを強調表示する。
【００６１】
図６は、上記ＥＰＧ／メタデータ画面スイッチの設定に従って、ＥＰＧに統合したメタデータを表示する表示画面の一例示す図である。ＥＰＧ／メタデータの画面スイッチの設定が、ＥＰＧに統合してメタデータを表示させる設定であるとき、図６に示すようなメタデータの表示画面を表示させることができる。
【００６２】
図６に示すメタデータの表示画面では、受信放送番組のチャネル番号１１を縦方向に並べて表示し、各チャネル番号１１の右横の位置に、各チャネル番号１１に対応するチャネル情報の表示領域１４を設定し、チャネル情報の表示領域１４の下側位置に、各チャネル情報に対応するメタデータを表示するメタデータ表示領域１２を設定する。チャネル情報には、番組名や番組内容等の情報が含まれる。
【００６３】
メタデータ表示領域１２は、上記図５の例と同様に、各チャンネルごとに取得したメタデータを表示する。このときに表示対象のメタデータは、メタデータ表示タイマーで設定したメタデータ表示時間（Ｔ）だけ現時点から遡った時点から、現時点までに受信したメタデータである。そして、スクロール／非スクロールスイッチにより、スクロール表示が設定されていれば、メタデータ表示領域１２に表示させるメタデータを時間的に古いものから新しいものに向かって、スクロール表示していく。そして、スクロール回数タイマーで設定された回数だけ、同じメタデータを繰り返しスクロール表示する。
またメタデータ強調表示スイッチにて、メタデータの強調表示が設定されているとき、設定されたスクロール回数分だけ強調表示する。また実時間モードでは、スクロール回数に関わりなく、メタデータを強調表示する。
【００６４】
また上記図５及び図６に示す表示画面では、各チャネルに対応する全てのメタデータ表示領域１２で一括してスクロール表示するか否かを設定でき、また各チャネルに対応する個々のメタデータ表示領域１２でスクロール表示するか否かを設定することができるようにしてもよい。
すなわち、スクロール／非スクロールスイッチにおいて、全てのメタデータを対象として一括設定できるようにし、かつチャネルごとにスクロール／非スクロールの表示設定を行うことができるようにする。
【００６５】
図７は、本発明のメタデータ電子表示装置におけるメタデータの受信処理の一例を説明するためのフローチャートである。
メタデータ電子表示装置は、まず受信した放送番組や通信ネットワークを介してメタデータを受信すると（ステップＳ１）、そのメタデータが管理情報をもつかどうかを判別する（ステップＳ２）。メタデータは、上述のように例えば受信した多重化放送番組などから分離されるものである。また管理情報は、上述のように、放送番組のチャンネル情報やキーワード等を含む。
【００６６】
そして、メタデータが管理情報を持っている場合には、そのメタデータを時間順に記憶装置２に保存する（ステップＳ４）。また、メタデータが管理情報を持っていない場合には、管理情報を付加した上で（ステップＳ３）、そのメタデータを時間順に記憶装置２に保存する（ステップＳ４）。
【００６７】
図８は、本発明のメタデータ電子表示装置における処理例を説明するためのフローチャートチャートである。メタデータは、例えば上記図７に示すフローに従って、管理情報とともに記憶装置２に保存されるものとする。
そしてユーザーが、ユーザーＩＦ９を使用して、メタデータの画面表示を命令すると（ステップＳ１１）、メタデータ電子表示装置の制御部３は、表示スイッチ４に設定されたＥＰＧ／メタデータ画面スイッチの設定情報を読み出して、ＥＰＧ／メタデータの統合画面を表示するかどうかを判別する（ステップＳ１２）。
【００６８】
ＥＰＧ／メタデータ画面スイッチの設定が、ＥＰＧ／メタデータの統合画面表示であれば、図６に示すようなＥＰＧにメタデータを統合させる画面を表示し（ステップＳ１３）、ＥＰＧ／メタデータの統合画面表示でなければ、図５に示すようなメタデータのみの画面を表示する（ステップＳ１４）。
【００６９】
そして上記いずれかの画面表示の後、制御部３は、タイマー５からメタデータ表示対象期間（Ｔ）を取得し（ステップＳ１５）、表示対象期間（Ｔ）が、Ｔ＜６０ｓ（秒）であるかどうかを判別する（ステップＳ１６）。ここでは閾値（ｔ）が６０ｓに設定されているものとする。
【００７０】
Ｔ＜６０ｓである場合は、メタデータを実時間で表示するモードとなる。すなわちここでは、制御部３は、記憶装置２のバッファから、最新のメタデータを取得する処理を続ける（ステップＳ１８）。そして、取得した最新のメタデータを、表示機器７に割り込み表示させ、このときに強調表示にする（ステップＳ２０）。割り込み表示では、表示機器７で現在表示しているメタデータを消去し、最新のメタデータを表示させる。最新のメタデータを表示した後、元の表示対象期間（Ｔ）内のメタデータ表示に戻すことができる。
【００７１】
一方、Ｔ＜６０ｓでない場合、番組を鑑賞する鑑賞モードとなり、記憶装置のバッファ中の最後のメタデータの表示が終わったら、バッファの先頭（時間的に古いデータ）に戻って、繰り返してメタデータを表示する。
ここでは制御部３は、前回メタデータの表示が中断した位置から後（時間的に新しい）メタデータを記憶装置２から取得する（ステップＳ１７）。この場合、例えば、ユーザー操作によってメタデータの表示を終了させたり、もしくはその他のメニュー画面やダイアログ画面を表示することによりメタデータの表示が中断した場合、バッファ中におけるその表示中断位置が記憶される。そしてその中断位置から時間的に新しい方向に向かってメタデータが取得される。制御部３は、記憶装置２から取得したメタデータを、表示機器７に追加表示する（ステップＳ１９）。
【００７２】
そして上記ステップＳ１９またはＳ２０でバッファから取得したメタデータを表示した後、ユーザー操作があるかどうかを判別し（ステップＳ２１）、ユーザー操作がなければ、上記ステップＳ１５に戻る。
またステップＳ２１でユーザー操作があれば、その操作がメタデータの詳細画面を表示させる操作であるかどうかを判別する（ステップＳ２２）。メタデータの詳細画面を表示させる操作であれば、メタデータの詳細画面を表示する（ステップＳ２５）。
【００７３】
また上記ステップＳ２２で、ユーザー操作がメタデータの詳細画面を表示させる操作でなければ、さらにメタデータの画面表示を消す操作であるかどうか判別する（ステップＳ２３）。
ユーザー操作がメタデータの画面表示を消す操作である場合には、表示画面を消す処理を行い（ステップＳ２４）、画面表示を消さない操作である場合には、ステップＳ１５に戻る。
【００７４】
上記のようなメタデータ電子表示装置によれば、例えば、重大事件や事故等の緊急情報が発生した場合、その緊急情報を少しでも速く表示させるようにし、さらにその事件の最新情報を継続して表示させることができる。
また、例えばユーザーが任意の放送番組の鑑賞に間に合わなくて、番組の今までのポイント情報を見たいような場合、特に鑑賞番組がドラマであり、今までのシーンの概略など見たいような場合に、メタデータによってこれらの情報を確認することができる。
また表示しているメタデータを早送り／早戻しすることにより、ユーザーが興味のある映像を迅速に探し出して表示させることができるようになる。
【００７５】
（１）重大事件や事項等の緊急情報のメタデータを見る場合
メタデータ電子受信装置の制御部３は、記憶装置２に時間順に記憶したメタデータの中から、各チャネルの最新のメタデータを取得し、記憶装置２が有するメモリ上に用意したバッファ領域に記憶させる。
【００７６】
そしてユーザーは、例えば表示機器７に表示されたＴＶ番組を視聴しているとき、緊急情報が放送された場合、メタデータを表示させる操作を行う。このときに、メタデータ電子表示装置の制御部３は、表示スイッチ４からＥＰＧ／メタデータの表示画面を表示するか、あるいはメタデータのみの表示画面を表示するかの設定値を取得して、その設定値に従ってメタデータを画面表示させる。
【００７７】
メタデータ電子受信装置の制御部３は、タイマーの表示対象期間（Ｔ）を取得して、実時間モードであれば、表示機器７にその最新のメタデータを表示する。実時間モードでなければ、表示対象期間（Ｔ）または閾値（ｔ）の設定を変更して実時間モードとすることもできる。このときに、現時点のメタデータのスクロール表示に割り込ませて、最新のメタデータを強調文字で優先的に表示する。
【００７８】
そしてその後一定時間が経過し（スクロール非設定のとき）、あるいは一定回数のスクロール表示が行われた場合（スクロール設定のとき）に、制御部３は、メタデータの強調文字表示を通常の文字表示に戻す。一定回数のスクロールとは、同じ最新データを繰り返しスクロール表示する回数を示す。
【００７９】
そしてユーザーは、ユーザーＩＦ９を使用して、メタデータ一覧画面あるいはＥＰＧ画面からさらにフォーカスとなるメタデータのアイテムを選ぶことができる。アイテムが選択されると、メタデータ電子表示装置の制御部３は、そのメタデータの詳細情報を表示画面に表示させる。
【００８０】
図９は、メタデータの詳細情報の表示画面例を示す図で、地震速報の詳細の内容の一例を示す図である。例えば、地震速報に関わるメタデータが表示され、それを見たユーザーが、ユーザーＩＦ９によってメタデータの詳細画面表示を指示すると、図９に示すような詳細表示画面を表示させることができる。
【００８１】
そしてさらにユーザーは、図９に示すような詳細情報の表示画面のなかから、さらに所望の情報を選択することができ、制御部３は、その選択に従って参照先の関連情報等を取得して表示させることができる。例えば図９の例で、“関東大震災”を選択すると、そのＵＲＬのウェブページを表示させることができる。
【００８２】
（２）番組情報を鑑賞する場合
メタデータ電子受信装置の制御部３は、記憶装置２に時間順に記憶したメタデータの中から、各チャネルの最新のメタデータを取得し、記憶装置２が有するメモリ上に用意した表示バッファ領域に記憶させる。
そしてユーザーは、例えば表示機器７に表示されたＴＶ番組を視聴しているときに、間に合わずに視聴できなかったシーンのメタデータを見ようとする場合、該当チャネルの表示対象期間（Ｔ）を、番組開始時から現時点までの期間に設定する。
【００８３】
そして制御部３は、メタデータを画面表示させた後、タイマー５からメタデータの表示対象期間（Ｔ）を取得する。そして、現時点から表示対象期間（Ｔ）だけ遡った時点からのメタデータを記憶装置２から取得する。例えば、表示対象期間を６０分に設定している場合、６０分前のメタデータから取得して表示させる。そして制御部３は、表示対象期間（Ｔ）に従って、表示機器７にメタデータを表示させる。
【００８４】
例えば表示対象期間（Ｔ）が上記のように６０分の場合、表示対象期間（Ｔ）が閾値６（ｔ）である６０ｓより長いため、鑑賞モードとして動作する。鑑賞モードでは、最新のメタデータを受信しても、その最新のメタデータを現在のメタデータ表示に割り込ませずに、現在のメタデータ表示を継続する。
【００８５】
さらに鑑賞モードにおいては、バッファに記録しているメタデータを早送り／早戻し表示可能とする。これにより、例えば鑑賞中の番組のポイントとなる内容を、メタデータを早送り／早戻しすることによって簡単にブラウザすることが可能になる。
また鑑賞モードにおいて、再生メタデータ／実時間メタデータスイッチを実時間に設定しておくことにより、現在放送中のメタデータを表示させることができるため、例えば、緊急事件の発生を示すメタデータを受信した場合に、これを表示させることができる。
【００８６】
（３）番組を再生する場合
録画しておいた番組コンテンツを再生する場合に、メタデータ電子表示装置の制御部３は、表示スイッチ４から、再生メタデータ／実時間メタデータスイッチの設定値を取得する。そして再生モードが設定されている場合、再生するコンテンツのメタデータを表示する。このときに鑑賞モードである場合は、例えば表示対象期間（Ｔ）が６０分であれば、現時点から６０分前のメタデータから表示を開始する。
【００８７】
また再生メタデータ／実時間メタデータスイッチにおいて、実時間モードが設定されている場合、再生中のコンテンツとは全く関係なく、現在リアルタイムに放送されている番組のメタデータを表示させる。この場合、リアルタイムの最新のメタデータの表示が優先となる。
【００８８】
（４）予約録画を表示する場合
番組の予約録画を行うときに、予約中の番組のメタデータを表示するか、もしくは表示しないかを選択する。手順としては、予約画面を表示するときに、メタデータ表示／非表示スイッチを使用して、録画時に、録画メタデータを表示するかしないかを設定する。メタデータ表示／非表示スイッチのデフォルトは、上記のように、メタデータの非表示である。
【００８９】
メタデータを非表示に設定しておけば、録画が開始されてもメタデータが表示されない。例えば、メタデータを表示しない設定にしておくと、例えば、後で視聴するために録画している番組の進行状況が、リアルタイムでメタデータにより表示されてしまうことを防ぐことができる。
【００９０】
このときに、予約中の番組あるいは予約しようとする番組の表示画面にメタデータを表示する場合、予約画面を半透明または透明にしてメタデータを表示し、あるいはメタデータの背後に予約画面が隠れるように表示させるようにすることができる。
またメタデータを表示するときに、予約された番組のメタデータを表示するか、もしくはメタデータもつ全てのチャネルのメタデータを表示するかを設定することができる。
【図面の簡単な説明】
【００９１】
【図１】本発明に関わるメタデータ電子表示装置の一実施形態を説明するためのブロック図である。
【図２】メタデータを記憶装置に記憶させるときのデータ構造の一例を説明する図である。
【図３】本発明によるメタデータ電子表示装置で設定される各種表示スイッチ例を一覧にして示す図である。
【図４】本発明によるメタデータ電子表示装置のタイマーの設定例を示す図である。
【図５】ＥＰＧ／メタデータ画面スイッチの設定に従って、メタデータのみを表示する表示画面の一例示す図である。
【図６】ＥＰＧ／メタデータ画面スイッチの設定に従って、ＥＰＧに統合したメタデータを表示する表示画面の一例示す図である。
【図７】本発明のメタデータ電子表示装置におけるメタデータの受信処理の一例を説明するためのフローチャートである。
【図８】本発明のメタデータ電子表示装置における処理例を説明するためのフローチャートチャートである。
【図９】メタデータの詳細情報の表示画面例を示す図で、地震速報の詳細の内容の一例を示す図である。
【符号の説明】
【００９２】
１…メタデータ受信部、２…記憶装置、３…制御部、４…表示スイッチ、５…タイマー、６…表示部、７…表示機器、８…通信ネットワーク、９…ユーザーＩＦ、１１…チャネル番号、１２…メタデータ表示領域、１３…受信時刻、１４…表示領域。
【図１】
2008005282.tif 000003
【図２】
2008005282.tif 000004
【図３】
2008005282.tif 000005
【図４】
2008005282.tif 000006
【図５】
2008005282.tif 000007
【図６】
2008005282.tif 000008
【図７】
2008005282.tif 000009
【図８】
2008005282.tif 000010
【図９】
2008005282.tif 000011